(57)【要約】      （修正有）【課題】天井下地部材に天井仕上部材を大勢の作業者を必要とせず効率的に、かつ正確な位置に位置決め固定できる仕上部材支持具を提供する。【解決手段】仕上部材支持具１は天井下地部材２と天井仕上部材３に架設され、天井仕上部材３を天井下地部材２に対して移動可能に仮支持させる支持具であり、簡便構造で安価に製作出来る。【選択図】図２
0003175801.tif 000002
【実用新案登録請求の範囲】
【請求項１】
固定されている下地部材に重量物の仕上部材を当接させて所定位置に固定する前に前記下地部材に前記仕上部材を移動可能に支持させて前記所定位置に位置決めさせるための支持具であって、該支持具は、前記下地部材の側縁と前記仕上部材の側縁との間に挿脱可能に架設される断面がコ字形状のものからなることを特徴とする仕上部材支持具。
【請求項２】
前記コ字形状の仕上部材支持具の内面側の上下間の高さ寸法Ａが前記仕上部材支持具が架設される前記下地部材と前記仕上部材の架設部位の高さ寸法Ｂより大きなものからなり、前記高さ寸法Ａは前記高さ寸法Ｂの高さ寸法に対応して寸法調整可能に形成されることを特徴とする請求項１に記載の仕上部材支持具。
【考案の詳細な説明】
【技術分野】
【０００１】  本考案は、例えば固定されている天井下地部材の下面に重量物の天井仕上部材を当接せしめて所定位置に固定する取付作業において、前記天井仕上部材の固定用の取付具による固定に先立って前記天井下地部材に対して前記天井仕上部材を移動可能の状態に支持するために使用する仕上部材支持具に関する。
【背景技術】
【０００２】  例えば、図３に示すように吊具７により固定側８に垂下固定されている天井下地部材２の下面の所定位置に例えば図４に示すような天井仕上部材３を当接して固定する作業が建築時には必要であり、その実施箇所は広範囲にわたる。【０００３】  この場合、従来は例えば図５に示すように、天井仕上部材３を大勢の作業員９で支持して天井下地部材２の下面に当接させ位置決めをした状態で固定する作業が行われていた。天井仕上部材３としては各種のものがあるが一般に可成な重量物であり、図５に示すように大勢の作業員９が大変苦労した状態で作業を進めざるを得なかった。この作業方法では当然安全性に問題があると共に天井仕上部材３を正しい位置に固定することが中々出来ない問題点があった。勿論、作業時間もかかり、非能率的な作業でもあった。この問題点を解決する方法としては、当然考えられるべきものであったが、従来の先行技術としては「特許文献１」の如きものしかなく、取り扱い易く、かつ安全で正しい位置決めが可能のものはなかった。
【先行技術文献】
【特許文献】
【０００４】
【特許文献１】実開平７−２０２５５号（図１）  この「特許文献１」の「万力」は所謂部材保持固定用の「万力」であり、２つの部材を取付具により正式に固定する前に両者を仮固定するもので従来より一般的に使用されるものであるが、この「特許文献１」の「万力」はコ字形状の一端（３）と他端（５）とからなり他端（５）側にアーム（２１）が直角方向に形成されると共に一端（３）側に締め付けねじ棒（７）がある点に特徴を有するものである。【０００５】  以上の「特許文献１」の「万力」を用いることにより天井下地部材２に天井仕上部材３を当接して仮固定することは出来るが、この場合は、通常締め付けねじ棒（７）は天井仕上部材３が移動出来ない状態で締め上げるものであり、天井仕上部材３は位置決めのための移動調整が出来ない。一方、そのねじ込み量を加減して天井仕上部材３が移動出来るようにしたとして天井仕上部材３を天井下地部材２に安定支持させることは難しい。
【考案の概要】
【考案が解決しようとする課題】
【０００６】  以上のように従来の「万力」の如きものでは天井仕上部材３を移動可能に支持することは難しく、かつこの「万力」の場合は、締め付けねじ棒（７）のねじ込み作業が必要となり、その作業中には重量物の天井仕上部材３を大勢の作業員９で支持する作業が必要であり、図５に示したものと大差はない取付作業が行われる。なお、本考案の出願人の調査によると後に説明する本考案の如き先行技術は見当らない。【０００７】  本考案は、以上の従来の不具合を解消し、安全性が高く、取り扱いも容易で簡便安価に作られ、仕上部材の位置決めが確実に、かつ正確に出来る仕上部材支持具を提供することを目的とする。
【課題を解決するための手段】
【０００８】  本考案は、以上の目的を達成するために請求項１の考案は、固定されている下地部材に重量物の仕上部材を当接させて所定位置に固定する前に前記下地部材に前記仕上部材を移動可能に支持させて前記所定位置に位置決めさせるための支持具であって、該支持具は、前記下地部材の側縁と前記仕上部材の側縁との間に挿脱可能に架設される断面がコ字形状のものからなることを特徴とする。【０００９】  また、請求項２の考案は、前記コ字形状の仕上部材支持具の内面側の上下間の高さ寸法Ａが前記仕上部材支持具が架設される前記下地部材と前記仕上部材の架設部位の高さ寸法Ｂより大きなものからなり、前記高さ寸法Ａは前記高さ寸法Ｂの高さ寸法に対応して寸法調整可能に形成されることを特徴とする。
【考案の効果】
【００１０】  本考案の請求項１の仕上部材支持具によれば、この仕上部材支持具はコ字形状のものからなり、下地部材と仕上部材間に挿脱可能に架設されるもので、この架設構造により仕上部材は下地部材に安定的に仮保持される。また、その取付作業はねじ廻し等が不要であり、極めて容易に出来る。また、形状も簡便のもので安価に製作することが出来る。【００１１】  また、本考案の請求項２の仕上部材支持具によれば、架設巾寸法が調整可能であり、仕上部材を移動可能に作動することは容易であると共に、各種寸法の下地部材に対して仕上部材を適用可能に調整できるため利用範囲が広大効果を図ることが出来る。
【図面の簡単な説明】
【００１２】
【図１】本考案の仕上部材支持具の詳細構造を示すもので（ａ）は斜視図、（ｂ）はその側面図、（ｃ）は（ｂ）のＡ矢視図。
【図２】本考案の仕上部材支持具による天井下地部材と天井仕上部材との取付作業状態を示す断面図。
【図３】天井下地部材と天井仕上部材との取付状態を示す断面図。
【図４】天井仕上部材の形状を示す斜視図。
【図５】従来の天井下地部材への天井仕上部材の取付作業の問題点を説明するための模式的断面図。
【考案を実施するための形態】
【００１３】  以下、本考案の仕上部材支持具の実施の形態を図面を参照して詳述する。
【実施例１】
【００１４】  本考案の仕上部材支持具１の説明に先立って天井下地部材２や天井仕上部材３の概要構造を図２，図３等により説明する。
図３に示すように天井下地部材２は、例えば吊具７により固定側８に垂下固定されており、その形状としては図示のようにチャンネル型のものが示されているが、勿論、この構造に限定するものではない。この天井下地部材２の下面に当接して固定されている天井仕上部材３としては、例えば図４に示すものが挙げられる。
この天井仕上部材３は、図示のように折り曲げ材からなり、上面側のフランジ面５が形成され、下面側のフランジ面６が一体的に形成されるものからなる。なお、上面側のフランジ面５の側縁は下面側のフランジ面６の側縁より突出している形状からなる。これは後に説明するが仕上り状態において下面に所定寸法の間隙を形状して美観を向上させるためのものである。【００１５】  以上の構造の天井仕上部材３を天井下地部材２に当接固定するためにはこの天井仕上部材３を下方より支持して位置決めして取付具４により天井下地部材２側に固定することが必要であり、前記のように大変な作業であった。【００１６】  仕上部材支持具１は図１（ａ），（ｂ），（ｃ）に示すものからなるが、このものは図示のようにコ字形状のものからなり、天井下地部材２の上面側の側縁に当接する上面側支持板部１ａと天井仕上部材３その下面側の側縁に当接する下面側支持板部１ｂとこの両者を一体的に連結する縦方向板部材１ｃとからなり、上面側支持板部１ａと下面側支持板部１ｂとを夫々天井下地部材２と天井仕上部材３の側縁側に挿設させることにより天井仕上部材３を天井下地部材２に保持させることが出来る。この作業は、例えば２人位で可能であり、従来のように大勢の作業員９を必要としない。【００１７】  仕上部材支持具１の上面側支持板部１ａの下面と下面側支持板部１ｂの上面までの高さ寸法Ａは（図１（ｂ）に示す）天井下地部材２に上面側支持部材１ａが当接する部位と天井仕上部材３に下面側支持部材１ｂが当接する部位との間の寸法Ｂよりもやや大きい寸法からなり、例えばＡ−Ｂ＝δ（図２に示す）で示され、このδの寸法は天井仕上部材３が上下，左右，前後方向に移動可能の寸法からなる。なお、この仕上部材支持具１は図１（ａ），（ｂ），（ｃ）に示すように高さ方向に調整可能の構造からなり、寸法Ａは寸法Ｂに対応して調整可能のものからなる。【００１８】  図２はこの仕上部材支持具１を用いて天井下地部材２に天井仕上部材３を固定させた状態を示すものである。
この仕上部材支持具１をまず天井下地部材２に押し当てて瞬時に仕上部材支持具１を差し込む。これにより天井仕上部材３は天井下地部材２に支持されることになる。然し乍ら、前記のように寸法δだけ仕上部材支持具１の高さが高いため天井仕上部材３は上下，前後，左右方向に移動可能となり、正しい取付位置に位置決めすることが出来る。この状態で取付具４を用いて天井仕上部材３を天井下地部材２に固定することになる。この作業は安定的に、かつ容易に確実に行われる。
天井仕上部材３の固定が終了したら仕上部材支持具１を引き出してこの架設を開放することにより取り外すことが容易に出来、再使用することが出来る。【００１９】  以上のように、本考案における仕上部材支持具１は簡便で安価のものであり、取り扱いも容易であり、安全で確実な取付作業を行うことが出来る。【００２０】  本考案は、以上の説明の内容からなるが、その内容は以上の説明に限定するものではなく、同一技術的範疇のものが適用されることは勿論である。
【産業上の利用可能性】
【００２１】  本考案の仕上部材支持具は天井に関する取付作業にのみ使用されるものではなく、双方の部材を安全に、かつ正確に固定するその他の場所にも適用されその利用範囲は広い。
【符号の説明】
【００２２】１    仕上部材支持具
１ａ  上面側支持板部
１ｂ  下面側支持板部
１ｃ  縦方向板部
２    天井下地部材
３    天井仕上部材
４    取付具
５    上面側のフランジ面
６    下面側のフランジ面
７    吊具
８    固定側
９    作業員
【図１】
0003175801.tif 000003
【図２】
0003175801.tif 000004
【図３】
0003175801.tif 000005
【図４】
0003175801.tif 000006
【図５】
0003175801.tif 000007